(57)【要約】【課題】プロジェクタ等の電子機器において、ランプ室ドアを回動自在に設け、電源供給ケーブルを取り外さなければランプ室ドアが回動して開放しないようにして、安全性が高い製品を低コストで提供する。【解決手段】ランプ室ドア装置は、ドア支持部５ａと多角形部５ｂが形成された回動制御軸５を有する回動機構によって開閉自在に設けられるランプ室ドア３と、ランプ室ドア３を閉鎖状態にロックするロック部６ａ及び電源供給ケーブル用ソケット１ｃを覆うカバー部６ｂを有する可動部材６からなる。可動部材６をランプ室ドア３から離間するように摺動することにより、ランプ室ドア３をロック解除し開放可能とするとともに、カバー部６ｂが電源供給ケーブル用ソケット１ｃをカバーして電源供給ケーブルの接続を阻止する。【選択図】図３
2006301175.tif 000002
【特許請求の範囲】
【請求項１】
回動機構によってランプ室開口を開閉するランプ室ドアと、該ランプ室ドアを閉鎖状態にロックするロック部及び電源供給ケーブル用ソケットを覆うカバー部を有する可動部材からなり、前記ロック部が前記ランプ室ドアから離間することにより、前記ランプ室ドアのロックを解除し、前記ランプ室ドアを開放可能とするとともに、前記カバー部が前記電源供給ケーブル用ソケットを覆って電源供給ケーブルの接続を防止することを特徴とするランプ室ドア装置。
【請求項２】
請求項１に記載のランプ室ドア装置において、
前記回動機構はランプ室ドア支持部と多角形部が形成された回動制御軸を有し、該回動制御軸が固定された前記可動部材が前記ランプ室ドアに対し接離するように摺動することにより、前記多角形部が前記ランプ室ドアに形成された多角形部挿入孔に挿入または脱出することを特徴とするランプ室ドア装置。
【請求項３】
請求項１または２に記載のランプ室ドア装置において、
前記可動部材はドアロック用凸部を有し、該ドアロック用凸部が前記ランプ室ドアに形成されたロック用凹部に係合することによって、前記ランプ室ドアをロックすることを特徴とするランプ室ドア装置。
【請求項４】
請求項１乃至３いずれかに記載のランプ室ドア装置において、
前記可動部材は略Ｌ字状をなし、一方の片はランプ室ドアが設けられる面に添って摺動し、他方の片は前記電源供給ケーブル用ソケットが設けられる面に添って摺動することを特徴とするランプ室ドア装置。
【請求項５】
請求項３または４に記載のランプ室ドア装置において、
前記ランプ室ドアは可動部材ストッパを有し、前記ランプ室ドアの開放時に前記可動部材に形成された前記ドアロック用凸部が当接することを特徴とするランプ室ドア装置。
【請求項６】
請求項１乃至５いずれかに記載のランプ室ドア装置を備えたことを特徴とするプロジェクタ。
【発明の詳細な説明】
【技術分野】
【０００１】
本発明は、ランプ室ドア装置及び該ランプ室ドア装置を備えたプロジェクタに関し、さらに詳しくは、プロジェクタ等の電子機器において、ランプ室に収納されたランプユニットを交換する際に、電源供給ケーブルを取り外した状態で作業するようにして、作業ミスによる感電・火災等人体への危険及び機器の破損を防止し、且つ、プロジェクタ等の電子機器を構成する電子部品数を減少し、プロジェクタ等の電子機器のコストダウンを可能とするランプ室ドア装置及び該ランプ室ドア装置を備えたプロジェクタに関する。
【背景技術】
【０００２】
プロジェクタ等の光源を内蔵する電子機器において、スクリーン等に画像を投影して表示する光源にはハロゲンランプ、高圧水銀ランプ等のランプが用いられるが、これらのランプは使用時間の経過とともにランプ輝度が低下するためランプ寿命がある。そのため、定期的あるいは適宜の時期においてランプユニットの交換が必要になり、容易にランプユニットの交換を行えるように、プロジェクタ等の電子機器にはランプユニットが収納されるランプ室の開口部を開閉自在にして閉鎖するランプユニット交換用のランプ室ドアを装備している。ランプユニットの交換は一般の消費者が行うことも多いため、ランプユニットを交換する際に、作業ミスによりビス等の異物をプロジェクタの筐体内に落としてしまう場合がある。
【０００３】
図７は、従来のランプユニット交換用のランプ室ドアを備えたプロジェクタにおいて、ランプユニットを交換する手順を示す斜視図で、図７（Ａ）は、ランプユニット交換時にプロジェクタを反転した状態を示し、図７（Ｂ）は、ランプ室ドアを取り外した状態を示し、図７（Ｃ）は、ランプユニットを取り外した状態を示す。
従来のランプユニットの交換手順は、図７（Ａ）に示すように、プロジェクタ本体１０１を反転した後、図７（Ｂ）に示すように、底面部１０２のランプ室開口部に着脱自在に設けられたランプユニット交換用のランプ室ドア１０３の固定ネジ１０３ｅを緩め、底面部１０２より取外すことにより、図７（Ｃ）に示すように、ランプ室からランプユニット１０８取り出して新品のランプユニットと交換することを可能としている。ランプユニット１０８を交換した後は、ランプユニット１０８の取り外しと逆の手順で組み立てる。
以上のような、従来のランプユニットの交換で実施されるいずれの作業においても、電源供給ケーブル１０９をプロジェクタ本体１０１に設けられた電源供給ケーブル用ソケットから取り外す必要はない。
【０００４】
図８は、従来のプロジェクタを示す上面図、図９は、図８に示すプロジェクタのＡ−Ａ断面部分図で、図９（Ａ）は、ランプ室ドアが図７（Ａ）の閉鎖状態にある場合を示し、図９（Ｂ）は、ランプ室ドアが図７（Ｂ）の開放状態にある場合を示す。
ランプ室開口部を閉鎖するランプ室ドア１０３を備えた従来のプロジェクタにおいては、図９（Ａ）のように、ランプ室ドア１０３はプロジェクタ本体１０１のランプ室開口部を閉鎖するように底面部１０２に取り付けられており、プロジェクタ本体１０１の内部に設置されたドア検出スイッチ１１０のレバー１１０ａはランプ室ドア１０３の内面から突出しているスイッチ作動片１０３ｇによって押し上げられてドア検出スイッチ１１０がオン状態となって、プロジェクタ本体１０１の内部に収容された電子回路が接続され、プロジェクタを使用することが可能になる。
【０００５】
また、図９（Ａ）の状態で、固定ネジ１０３ｅが緩められ、ランプ室ドア１０３をプロジェクタ本体１０１の底面部１０２から取り外すと、図９（Ｂ）のように、スイッチ作動片１０３ｇが脱出することによって、ドア検出スイッチ１１０のレバー１１０ａは逆方向に押し戻されてドア検出スイッチ１１０がオフ状態となって、内部に収容された電子回路が遮断される。このとき、電源供給ケーブル１０９に設けられたプラグをプロジェクタ本体１０１に設けられた電源供給ケーブル用ソケットから取り外さずにランプユニット１０８の交換作業が可能であるため、一部の電子回路には電源が供給され続ける。
【０００６】
また、以上のようなランプユニット交換時の安全装置以外にも、特許文献１には、蓋が開いた状態では連動部材をインレットの入り口を閉鎖した状態でロックし、連動部材を手で移動してインレットの入り口を開放することができないようにした「液晶プロジェクタの二重安全装置」が開示され、特許文献２には、高温となった光源部にユーザが触れることを回避でき、光源の交換までに要する待機時間を短縮可能な「投射型表示装置」が開示され、特許文献３には、光源手段が所定温度以上の場合には、光源手段とカバーとを係止するロック手段を設けた「投射型表示装置」が開示され、特許文献４には、ランプユニット挿入部にランプユニットを挿入し開閉蓋を閉めなければ電源は起動しない「表示装置」が開示され、特許文献５には、ランプとランプの電源入力端子が一体に形成されたランプユニットをプロジェクタ本体の後部に外付けできるように、かつランプユニットの装着と同時に電気的接続も行うようにした「ビデオプロジェクタ」が開示されている。
【特許文献１】特開平１１−２０２４０７号公報
【特許文献２】特開２００２−１３９７９７号公報
【特許文献３】特開２００２−３３３６６８号公報
【特許文献４】特開２００３−１４９７３７号公報
【特許文献５】特開平５−５９４８号公報
【発明の開示】
【発明が解決しようとする課題】
【０００７】
前記したような従来のランプユニット交換用のランプ室ドアを備えたプロジェクタにおいては、図７〜図９に示すように、一部の電子回路に電源が供給され続けた状態でランプユニット交換が可能であるため、作業ミスによりネジ等の異物が機器内へ落下し、感電・火災等人体への危険及びプロジェクタ等の電子機器の破損を起こす可能性がある。
【０００８】
本発明は、従来のプロジェクタ等の電子機器が有する問題点を解決するためになされたもので、ランプ室ドアを回動機構によって回動自在に設け、プロジェクタ本体への電源供給ケーブルを取り外さなければランプ室ドアが回動して開放しないようにして、ランプユニット交換時の安全性を図ることを目的とする。
【０００９】
また、ランプユニット交換用のランプ室ドアを回動して閉鎖しなければプロジェクタ等の電子機器に電源供給ケーブルを接続することができないようにすることにより、作業ミスによりネジ等の異物が機器内へ落下したような際の感電・火災等人体への危険及び機器の破損を防止することを可能とし、さらに構成する電子部品数を減少させ、プロジェクタ等の電子機器のコストダウンを図ることを目的とする。
【課題を解決するための手段】
【００１０】
本発明の第１の技術手段は、回動機構によってランプ室開口を開閉するランプ室ドアと、該ランプ室ドアを閉鎖状態にロックするロック部及び電源供給ケーブル用ソケットを覆うカバー部を有する可動部材からなり、前記ロック部が前記ランプ室ドアから離間することにより、前記ランプ室ドアのロックを解除し、前記ランプ室ドアを開放可能とするとともに、前記カバー部が前記電源供給ケーブル用ソケットを覆って電源供給ケーブルの接続を防止するランプ室ドア装置であることを特徴とする。
【００１１】
第２の技術手段は、第１の技術手段のランプ室ドア装置において、前記回動機構はランプ室ドア支持部と多角形部が形成された回動制御軸を有し、該回動制御軸が固定された前記可動部材が前記ランプ室ドアに対し接離するように摺動することにより、前記多角形部が前記ランプ室ドアに形成された多角形部挿入孔に挿入または脱出することを特徴とする。
【００１２】
第３の技術手段は、第１または第２の技術手段のランプ室ドア装置において、前記可動部材はドアロック用凸部を有し、該ドアロック用凸部が前記ランプ室ドアに形成されたロック用凹部に係合することによって、前記ランプ室ドアをロックすることを特徴とする。
【００１３】
第４の技術手段は、第１乃至第４のいずれかの技術手段のランプ室ドア装置において、  前記可動部材は略Ｌ字状をなし、一方の片はランプ室ドアが設けられる面に添って摺動し、他方の片は前記電源供給ケーブル用ソケットが設けられる面に添って摺動することを特徴とする。
【００１４】
第５の技術手段は、第３または第４の技術手段のランプ室ドア装置において、前記ランプ室ドアは可動部材ストッパを有し、前記ランプ室ドアの開放時に前記可動部材に形成された前記ドアロック用凸部が当接することを特徴とする。
【００１５】
第６の技術手段は、第１乃至第５のいずれかの技術手段のランプ室ドア装置を備えたプロジェクタであることを特徴とする。
【発明の効果】
【００１６】
本発明のランプ室ドア装置によれば、可動部材にランプ室ドアのロック構造及び電源供給ケーブルの接続を阻止するカバーが設けられ、電源供給ケーブルを取り外さなければ可動部材を摺動することができず、ランプ室ドアのロックが解除できないので、ランプユニット交換時には内部電子回路には電源が供給されておらず、作業ミスによるネジ等の異物が機器本体内へ落下したとしても、安全に交換作業を行うことが可能となり、ランプ室ドアの開閉に連動して動作するスイッチ等の電子部品を不要とすることも可能となり、プロジェクタ等の電子機器のコストダウンが可能となる。
【００１７】
また、本発明のランプ室ドア装置によれば、ランプ室ドアが回動して開放している時には、可動部材が動作しないようにするストッパを有するので、ランプユニット交換時に妄りに可動部材が動作することがなく、安全にランプユニットの交換作業を行うことが可能となる。
【発明を実施するための最良の形態】
【００１８】
本発明のランプ室ドア装置及び該ランプ室ドア装置を備えたプロジェクタ等の電子機器にあっては、ランプユニット交換用のランプ室ドアを回動自在に設け、プロジェクタ等の電子機器の電源供給ケーブルを取り外さなければランプ室ドアが回動して開放しないようにし、またランプ交換ドアを回動して閉鎖しなければプロジェクタ等の電子機器に電源供給ケーブルを接続することができないようにして、安全性が高い製品を低コストで提供することを目的とし、そのためのランプ室ドア装置の構成は、ランプ室ドア支持部と多角形部が形成された回動制御軸を有する回動機構によって回動自在に設けられるランプ室ドアと、該ランプ室ドアを閉鎖状態にロックするロック部及び電源供給ケーブル用ソケットを覆うカバー部を有する可動部材からなり、前記ロック部が前記ランプ室ドアから離間するように摺動することにより、前記ランプ室ドアをロック解除し、前記ランプ室ドアを開放可能とするとともに、前記カバー部が前記電源供給ケーブル用ソケットを覆って電源供給ケーブルの接続を阻止するようにするものである。
以下、本発明のランプ室ドア装置及びプロジェクタを実施例に基づいて説明する。
【実施例１】
【００１９】
図１は、本発明の実施例１のランプ室ドアを備えたプロジェクタにおいて、ランプ室に収納されたランプユニットを交換する手順を示す斜視図で、図１（Ａ）は、ランプユニット交換時にプロジェクタを反転した状態を示し、図１（Ｂ）は、電源供給ケーブル取り外した状態を示し、図１（Ｃ）は、ランプ室ドアのロック機構を解除した状態を示し、図１（Ｄ）は、ランプユニット交換時にランプ室ドアを６０°回動したときの状態を示し、図１（Ｅ）は、ランプ室ドアを９０°回動したときの状態を示し、図１（Ｆ）は、ランプユニットを取り外した状態を示す。
【００２０】
ランプ室ドア３を備えたプロジェクタにおいて、ランプ室に収納されたランプユニットの概略の交換手順は、図１（Ａ）〜（Ｆ）に示すとおりで、図１（Ａ）にてプロジェクタ本体１を反転した後、図１（Ｂ）にて電源供給ケーブル９をプロジェクタ本体１から取り外す。次に、プロジェクタ本体１の底面部２に形成されたランプ室開口２ｂを覆って回動自在に取り付けられたランプ室ドア３の固定ネジ３ｅを緩め、図１（Ｃ）にて可動部材６を矢印方向Ｘへ移動させ、ランプ室ドア３に形成されたロック用凹部３ｃと、可動部材６に形成されたロック用凸部６ｃとの係合を外す。このとき、ロックを外すと同時に電源供給ケーブル用ソケット１ｃを可動部材６のカバー部６ｂが覆うようになり、電源供給ケーブル９のプラグ９ａを接続することができなくなる。次に、図１（Ｄ）にてランプ室ドア３を回動させて開放し、図１（Ｅ）にて所定の位置までランプ室ドア３を回動させた後、図１（Ｆ）にてランプユニット８を取り出して新たなランプユニットに交換する。
【００２１】
図２は、実施例１のプロジェクタを示す上面図であり、図３は、実施例１のプロジェクタを反転し、ランプ室ドア及び可動部材を分解して示す底面図である。
実施例１のプロジェクタは、プロジェクタ本体１中に、ランプユニット、光学ユニット、ＤＭＤ（Digital Micromirror Device），液晶パネル等の光学変調素子、回路基板、投射レンズ等を有し、プロジェクタ本体１の底面部２には高さ調節脚２ａを有し、ランプユニットの位置に対応してランプ室開口２ｂが形成され、ランプ室開口２ｂにはランプ室に収納されたランプユニット８を交換するときに開放するランプ室ドア３が一側辺を中心にして開閉自在に設けられている。また、プロジェクタ本体１の前面板には投射レンズ１ａが設けられ、背面板に形成された凹陥部１ｂ内にはプロジェクタに電源を供給する電源供給ケーブル９を接続するための電源供給ケーブル用ソケット１ｃが設けられている。
【００２２】
実施例１のプロジェクタのランプユニット交換用のランプ室ドア装置の構成について説明する。
図４は、ランプ室ドアを６０°回動したときのランプ室ドア装置を拡大して示す斜視図である。
ランプ室ドア装置は、プロジェクタ本体１の底面部２に形成されたランプ室開口２ｂを閉鎖するランプ室ドア３と、ランプ室ドア３を閉鎖状態にロックするロック部６ａと電源供給ケーブル９を接続不可とするカバー部６ｂとを有する可動部材６とからなる。ランプ室ドア３は、その一側辺に沿って回動軸４を挿入するための回動軸孔３ａと、後述するドア回動制御軸５の多角形部５ｂ（例、六角形）を出没自在に挿入するための多角形部挿入孔３ｂを有し、一端側が回動軸４とＥリング４ａにより底面部２に回動自在に支持され、また他端側はドア回動制御軸５のドア支持部５ａによって支持されるとともに、多角形部５ｂがランプ室ドア３の多角形部挿入孔３ｂに挿脱自在に挿入されて、回動自在に取り付けられる。したがって、ドア回動制御軸５がランプ室ドア３の多角形部挿入用孔３ｂから引き出されると、ランプ室ドア３はドア回動制御軸５に対し、回動自在となる。
また、ランプ室ドア３の表面の多角形部挿入孔３ｂに隣接してロック用凹部３ｃが形成され、ランプ室ドア３を底面部２に固定するランプ室ドア固定用ネジ３ｅがランプ室ドア固定用ネジ脱落防止Ｅリング３ｆによって保持されている。
【００２３】
可動部材６は、断面が略Ｌ字状で、一方の片であるロック部６ａが底面部２に添設され、他方の片であるカバー部６ｂが電源供給ケーブル用ソケット１ｃが設けられるプロジェクタ本体の背面に設けられた凹陥部１ｂに添設されて、ソケット１ｃをカバーする位置とカバーしない位置間を摺動自在に取り付けられる。ロック部６ａにはドアロック用凸部６ｃが設けられており、ロック時にはドアロック用凸部６ｃがランプ室ドア３に形成されたロック用凹部３ｃに係合する。
また、ロック部６ａのランプ室ドア３の回動中心に対応する部位は、ドア回動制御軸５を取り付けるために凸状に曲成されており、この部分にドア回動制御軸用固定ネジ５ｃを用いてドア回動制御軸５が取り付けられている。したがって、可動部材６を摺動させると、可動部材６と同時にドア回動制御軸５もランプ室ドア３に対して摺動する。
【００２４】
可動部材６はプロジェクタ本体１の底面部２に沿って、ランプ室ドア３と接離自在に摺動するが、その際の摺動機構は、底面部２に２列に長孔２ｃが形成され、２個の移動量調整スペーサ７をプロジェクタ本体１の内側から２列の長孔２ｃに挿入し、スペーサ固定用ネジ７ａを用いて可動部材６の裏面側に固定し、ランプ室ドア３と２個の移動量調整スペーサ７とで底面部２を侠持し可動部材６の移動量を調整する構成である。
【００２５】
図４は、ランプ室ドアが６０°回動したときのランプ室ドア、可動部材、電源供給ケーブル間の関係を拡大して示す部分斜視図である。
図４に示すように、ランプ室ドア３を回動させ、開放している時には、可動部材６を当初の閉鎖位置へ戻そうとしても、ドアロック用凸部６ｃがランプ室ドア３の裏面側に設けられた可動部材ストッパ３ｄに当接して摺動できず、電源供給ケーブル９のプラグ９ａを電源供給ケーブル用ソケット１ｃに挿入して接続することを防止することができる。ランプユニット８を交換した後、今までと逆の手順でランプ室の開口２ｂをランプ室ドア３で閉鎖し、可動部材６をスライドさせてカバー部６ｂを電源供給ケーブル用ソケット１ｃの上方から移動させて除き、電源供給ケーブル９のプラグ９ａを電源供給ケーブル用ソケット１ｃに挿入してプロジェクタを組み立てる。
【００２６】
図５は、ランプ室ドアのロック状態でプロジェクタを反転したときの部分断面図で、図５（Ａ）は、図２におけるＢ−Ｂ部分断面を示し、図５（Ｂ）は、図２におけるＣ−Ｃ部分断面を示す。
図６は、ランプ室ドアのロック解除状態でプロジェクタを反転したときの部分断面図で、図５（Ａ）は、図２におけるＢ−Ｂ部分断面を示し、図５（Ｂ）は、図２におけるＣ−Ｃ部分断面を示す。
【００２７】
図５（Ａ）に示すように、通常動作状態または電源供給ケーブル接続状態においては、回動制御軸５の多角形部５ｂ（例、六角形）がランプ室ドア３の多角形部挿入孔３ｂに嵌合しているとともに、ドアロック用凸部６ｃがランプ室ドア３のロック用凹部３ｃに乗り上げロックされているのでランプ室ドア３を回動し開放することができない。
【００２８】
ここで、ランプ室ドア３を回動し開放するためには、図１（Ｃ）に示すように可動部材６を矢印方向Ｘに摺動させることにより、図６（Ａ）に示すように多角形部挿入孔３ｂから回動制御軸５の多角形部５ｂが脱出するが、ランプ室ドア３の回転軸孔からランプ室ドア支持部５ａは、移動量調整スペーサ７によってその移動量が制御されているため、抜けることはなく、さらに、ロック用凸部６ｃがロック用凹部３ｃより外れるのでランプ室ドア３の回動が可能になる。
【図面の簡単な説明】
【００２９】
【図１】本発明の実施例１のランプ室ドアを備えたプロジェクタにおいて、ランプ室に収納されたランプユニットを交換する手順を示す斜視図である。
【図２】実施例１のプロジェクタを示す上面図である
【図３】実施例１のプロジェクタを反転し、ランプ室ドア及び可動部材を分解して示す底面図である。
【図４】ランプ室ドアを６０°回転したときのランプ室ドア装置を拡大して示す斜視図である。
【図５】ランプ室ドアのロック状態でプロジェクタを反転したときの部分断面図である。
【図６】ランプ室ドアのロック解除状態でプロジェクタを反転したときの部分断面図である。
【図７】従来のランプ室ドアを備えたプロジェクタにおいて、ランプユニットを交換する手順を示す斜視図である。
【図８】従来のプロジェクタを示す上面図である。
【図９】図８に示すプロジェクタのＡ−Ａ断面部分図である。
【符号の説明】
【００３０】
１…プロジェクタ本体、１ａ…投射レンズ、１ｂ…凹陥部、１ｃ…電源供給ケーブル用ソケット、２…底面部、２ａ…高さ調整脚、２ｂ…ランプ室開口、３…ランプ室ドア、３ａ…回動軸孔、３ｂ…多角形部挿入孔、３ｃ…ロック用凹部、３ｄ…可動部材ストッパ、３ｅ…固定ネジ、３ｆ…固定用ネジ脱落防止Ｅリング、４…回動軸、４ａ…Ｅリング、５…ドア回動制御軸、５ａ…ドア支持部、５ｂ…多角形部、５ｃ…制御軸固定ネジ、６…可動部材、６ａ…ロック部、６ｂ…カバー部、６ｃ…ロック用凸部、７…移動量調整スペーサ、７ａ…スペーサ固定ネジ、８…ランプユニット、９…電源供給ケーブル、９ａ…プラグ、１１０…ドア検出スイッチ、１１０ａ…レバー。
【図１】
2006301175.tif 000003
【図２】
2006301175.tif 000004
【図３】
2006301175.tif 000005
【図４】
2006301175.tif 000006
【図５】
2006301175.tif 000007
【図６】
2006301175.tif 000008
【図７】
2006301175.tif 000009
【図８】
2006301175.tif 000010
【図９】
2006301175.tif 000011